(57)【特許請求の範囲】
【請求項１】
少なくとも１つの電力変換ユニットと、１つ又は複数の照明器具と、１つ又は複数の給電ユニットとを有し、
前記電力変換ユニットは、建物の造営材に設けられている給電用の配線器具と電気的に接続され、前記配線器具を通じて給電される交流電力を直流電力に変換して前記給電ユニットに出力するように構成され、
前記給電ユニットは、前記電力変換ユニットから前記照明器具に向かう往きの電流が流れる第１導体と、前記照明器具から前記電力変換ユニットに向かう戻りの電流が流れる第２導体とを備えて前記造営材の表面に沿うように配置され、
前記照明器具は、取付部材によって前記造営材に取り付けられ、前記第１導体と電気的に接続される第１接続端子と、前記第２導体と電気的に接続される第２接続端子と、前記第１接続端子と前記第２接続端子の間に電気的に接続される１つ又は複数の光源と、前記第１接続端子、前記第２接続端子及び前記光源を保持して前記造営材の表面に配置される器具本体とを備え、
前記第１接続端子並びに前記第２接続端子は、前記第１導体及び前記第２導体の任意の位置で電気的に接続可能に構成されており、
前記給電ユニットは、金属製の線材で形成され、かつ、電気的な絶縁性を有する絶縁体で被覆されていない前記第１導体及び前記第２導体が、前記造営材の表面において、互いに並行して張り渡されるように構成されており、
前記取付部材は、矩形箱状のベース部と、前記ベース部に設けられ、前記第１接続端子及び前記第２接続端子と電気的に接続される一対の端子金具とを有し、
前記一対の端子金具の間隔は、前記第１導体と前記第２導体の間隔よりも広く、
前記一対の端子金具は、前記第１導体と前記第２導体の間隔を広げるようにして前記第１導体及び前記第２導体に対して径方向から圧接することを特徴とする照明システム。
【請求項２】
前記給電ユニットは、前記電力変換ユニットからの距離を可変とするように構成されていることを特徴とする請求項１記載の照明システム。
【請求項３】
前記給電ユニットは、複数の前記第１導体同士、並びに複数の前記第２導体同士をそれぞれ個別かつ電気的に接続する１つ又は複数の接続部材を備えていることを特徴とする請求項２記載の照明システム。
【請求項４】
前記接続部材は、前記器具本体が着脱可能に取り付けられるように構成されていることを特徴とする請求項３記載の照明システム。
【請求項５】
前記給電ユニットは、伸縮可能に形成されていることを特徴とする請求項２記載の照明システム。
【請求項６】
複数の前記照明器具は、点灯回路を備え、前記点灯回路は、前記第１接続端子と前記第２接続端子の間に印加される直流電圧の電圧値に関わらず、前記光源に所定の電流を流すように構成されていることを特徴とする請求項１〜５のいずれか１項に記載の照明システム。
【請求項７】
前記電力変換ユニットは、前記配線器具と電気的に接続されている一対の引掛刃用引掛部を備えていることを特徴とする請求項１〜６のいずれか１項に記載の照明システム。
【発明の詳細な説明】
【技術分野】
【０００１】
本発明は、照明システムに関し、より詳細には照明器具を含む照明システムに関する。
【背景技術】
【０００２】
従来、建物（特に住宅）の室内においては、天井（天井仕上材）に先行配線されている引掛シーリングに照明器具が取り付けられていた。つまり、天井に取り付けられる照明器具は、引掛シーリングの配設箇所にしか設置されることがなかった。
【０００３】
これに対して、照明器具の取付位置を変更したいという要望があり、特許文献１に記載されているＬＥＤ照明用天井などが提案されている。特許文献１記載のＬＥＤ照明用天井は、天井下地材の下面に、プラスターボードを介して取り付けられている。ＬＥＤ照明用天井の天井面には、複数の取付孔がグリッド状に形成されている。これに対応して、ＬＥＤ照明器具の上面側には、受電部及び固定用ダボが立設されている。受電部及び固定用ダボが取付孔に差し込まれれば、電気的接続状態が確保される。従って、ＬＥＤ照明器具の取付位置を任意に変更できる。
【先行技術文献】
【特許文献】
【０００４】
【特許文献１】特開２０１０−１２９３９０号公報
【発明の概要】
【発明が解決しようとする課題】
【０００５】
しかしながら、特許文献１記載のＬＥＤ照明用天井が施工されていない既存の建物においては、照明器具の取付位置を任意に変更可能とすることは困難である。
【０００６】
本発明は、上記課題に鑑みてなされており、既存の建物においても照明器具の取付位置を任意に変更可能とすることを目的とする。
【課題を解決するための手段】
【０００７】
本発明の証明システムは、少なくとも１つの電力変換ユニットと、１つ又は複数の照明器具と、１つ又は複数の給電ユニットとを有し、前記電力変換ユニットは、建物の造営材に設けられている給電用の配線器具と電気的に接続され、前記配線器具を通じて給電される交流電力を直流電力に変換して前記給電ユニットに出力するように構成され、前記給電ユニットは、前記電力変換ユニットから前記照明器具に向かう往きの電流が流れる第１導体と、前記照明器具から前記電力変換ユニットに向かう戻りの電流が流れる第２導体とを備えて前記造営材の表面に沿うように配置され、前記照明器具は、取付部材によって前記造営材に取り付けられ、前記第１導体と電気的に接続される第１接続端子と、前記第２導体と電気的に接続される第２接続端子と、前記第１接続端子と前記第２接続端子の間に電気的に接続される１つ又は複数の光源と、前記第１接続端子、前記第２接続端子及び前記光源を保持して前記造営材の表面に配置される器具本体とを備え、前記第１接続端子並びに前記第２接続端子は、前記第１導体及び前記第２導体の任意の位置で電気的に接続可能に構成されており、前記給電ユニットは、金属製の線材で形成され、かつ、電気的な絶縁性を有する絶縁体で被覆されていない前記第１導体及び前記第２導体が、前記造営材の表面において、互いに並行して張り渡されるように構成されており、前記取付部材は、矩形箱状のベース部と、前記ベース部に設けられ、前記第１接続端子及び前記第２接続端子と電気的に接続される一対の端子金具とを有し、前記一対の端子金具の間隔は、前記第１導体と前記第２導体の間隔よりも広く、前記一対の端子金具は、前記第１導体と前記第２導体の間隔を広げるようにして前記第１導体及び前記第２導体に対して径方向から圧接することを特徴とする。
【発明の効果】
【０００８】
本発明の照明システムは、既存の建物においても照明器具の取付位置を任意に変更可能とすることができるという効果がある。
【図面の簡単な説明】
【０００９】
【図１】本発明の一実施形態に係る照明システムのシステム構成図である。
【図２】本発明の一実施形態に係る照明システムにおける電力変換ユニットの斜視図である。
【図３】本発明の一実施形態に係る照明システムにおける電力変換ユニットの回路ブロック図である。
【図４】本発明の一実施形態に係る照明システムにおける照明器具の分解斜視図である。
【図５】本発明の一実施形態に係る照明システムにおける給電ユニットを示し、図５Ａは一部省略した斜視図、図５Ｂは一部省略した断面図である。
【図６】本発明の一実施形態に係る照明システムにおける給電ユニットを示す一部省略した正面図である。
【図７】図７Ａは、本発明の一実施形態に係る照明システムにおける照明器具及び給電ユニットを示す斜視図であり、図７Ｂは、本発明の一実施形態に係る照明システムにおける給電ユニットを示す断面図である。
【図８】本発明の一実施形態に係る照明システムにおける照明器具の斜視図である。
【図９】本発明の一実施形態に係る照明システムにおける給電ユニットの巻取部を示す斜視図である。
【図１０】本発明の一実施形態に係る照明システムにおける照明器具及び給電ユニットを示す斜視図である。
【図１１】本発明の一実施形態に係る照明システムにおける給電ユニットのジョイントボックスを示し、図１１Ａは前方から見た斜視図、図１１Ｂは後方から見た斜視図である。
【図１２】本発明の一実施形態に係る照明システムにおける給電ユニットの一部省略した正面図である。
【図１３】本発明の一実施形態に係る照明システムにおける照明器具を示し、図１３Ａは点灯回路を含む全体の回路図、図１３Ｂは定電流回路の回路図である。
【図１４】本発明の一実施形態に係る照明システムの変形例を示すシステム構成図である。
【図１５】本発明の一実施形態に係る照明システムの変形例における照明器具及び給電ユニットの断面図である。
【発明を実施するための形態】
【００１０】
以下、本実施形態に係る照明システムＸについて、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
本実施形態に係る照明システムＸは、図１に示すように、電力変換ユニット１と、複数の照明器具２と、複数の給電ユニット３とを有している。電力変換ユニット１は、建物の造営材に設けられている給電用の配線器具と電気的に接続されている。給電用の配線器具は、例えば、住宅の天井（天井仕上材）Ｓに配設されている引掛シーリング４である。引掛シーリング４は、天井裏などに先行配線されている電灯線に電気的に接続され、電灯線を通して電力系統から交流電力が供給（給電）されている。
【００１２】
電力変換ユニット１は、図２に示すように、円筒形のハウジング１０を有している。ハウジング１０は、例えば、合成樹脂のような電気絶縁性を有する材料で形成されることが好ましい。ハウジング１０の天面には、一対の引掛刃１１が突出している。すなわち、電力変換ユニット１は、これら一対の引掛刃１１で引掛シーリング４の引掛刃用刃受部にかん合することにより、引掛シーリング４と電気的及び機械的に接続される。
【００１３】
また、電力変換ユニット１は、図３に示すように、入力回路１２、給電回路１３、レセプタクルコネクタ１４などを備えている。入力回路１２は、例えば、フィルタ回路、全波整流器、力率改善回路（昇圧チョッパ回路）などで構成されている。すなわち、入力回路１２は、電力系統ＡＣから電灯線を介して供給される交流の電圧及び電流を全波整流器で全波整流し、全波整流器から入力される脈流電圧を力率改善回路で昇圧するように構成されている。なお、フィルタ回路は、力率改善回路におけるスイッチング動作に起因した高周波ノイズが電灯線に漏れ出すことを抑制するように構成されている。そして、入力回路１２の出力端には、複数（図示例では４つ）の給電回路１３が電気的に並列接続されている。
【００１４】
これら４つの給電回路１３は、例えば、降圧チョッパ回路などのＤＣ／ＤＣコンバータであって、入力回路１２から出力される高圧の直流電圧を低圧の直流電圧に変換（降圧）するように構成されている。なお、給電回路１３は、数ボルトから十数ボルト程度の低い直流電圧を出力するように構成されることが好ましい。また、これら４つの給電回路１３の出力端には、４つのレセプタクルコネクタ１４がそれぞれ電気的に接続されている。これら４つのレセプタクルコネクタ１４は、２つのコンタクト受けと、これら２つのコンタクト受けを支持するコネクタハウジングとを有している。そして、２つのコンタクト受けは、給電回路１３の正極の出力端子と、負極の出力端子とに各別かつ電気的に接続されている。
【００１５】
入力回路１２及び４つの給電回路１３は、トランジスタや抵抗、コンデンサなどの回路部品がプリント配線板に実装されて構成されている。また、４つのレセプタクルコネクタ１４もプリント配線板に実装されている。そして、回路部品及びレセプタクルコネクタ１４が実装されたプリント配線板は、ハウジング１０内に収容されている。ただし、４つのレセプタクルコネクタ１４は、図２に示すように、ハウジング１０の天面における周縁近傍に設けられている４つの孔１００からハウジング１０の外に臨むようにハウジング１０内に収容されている。
【００１６】
照明器具２は、光源２０、器具本体２１、取付板２２などを備えている（図３及び図４参照）。光源２０は、例えば、複数個の発光ダイオード２００の直列回路が実装基板に実装されて構成されている（図３参照）。ただし、光源２０は、発光ダイオード２００以外の発光素子、例えば、有機エレクトロルミネセンス素子などで構成されてもよい。また、実装基板には、レセプタクルコネクタ２３が実装されている。このレセプタクルコネクタ２３は、正極と負極の２つのコンタクト受けを有している。正極のコンタクト受け（第１接続端子に相当）は、光源２０の正極（発光ダイオード２００のアノード）と電気的に接続されている。負極のコンタクト受け（第２接続端子に相当）は、光源２０の負極（発光ダイオード２００のカソード）と電気的に接続されている。ただし、実装基板に２つのレセプタクルコネクタ２３が実装されてもよい。これら２つのレセプタクルコネクタ２３は、正極のコンタクト受けが光源の２０の正極に並列接続され、負極のコンタクト受けが光源２０の負極に並列接続されることが好ましい。つまり、２つのレセプタクルコネクタ２３は、給電ユニット３を送り配線するように構成されることが好ましい。
【００１７】
器具本体２１は、合成樹脂によって円筒形状に形成され、内部に光源２０及びレセプタクルコネクタ２３を収容している。また、器具本体２１は、底面（下面）に円形の窓孔２１０が設けられ、この窓孔２１０を塞ぐようにカバー２１１が取り付けられている。カバー２１１は、アクリル樹脂やポリカーボネート樹脂などの透光性を有する合成樹脂材料で円盤状に形成されている。そして、光源２０から放射される光（照明光）は、カバー２１１を通して器具本体２１の外に出射される。さらに、器具本体２１の側壁（周壁）には、一対の引掛孔２１２が間隔を空けて開口している（図４参照）。これら一対の引掛孔２１２は、器具本体２１の側壁を貫通した矩形状に形成されることが好ましい。また、器具本体２１の側壁において、一対の引掛孔２１２から周方向に沿ってほぼ等距離の位置に、レセプタクルコネクタ２３の差込口が露出している（図４参照）。
【００１８】
取付板２２は、金属板若しくは合成樹脂成形体によって円盤状に形成されている。取付板２２は、一対の丸孔に挿通されるねじ２２０で天井Ｓに固定されている（図４参照）。また、取付板２２は、一対の引掛部２２１が法線方向に突出するように設けられている。一対の引掛部２２１は、鉤形に形成されている。これら一対の引掛部２２１は、先端部分が器具本体２１の一対の引掛孔２１２に内側から挿入されて引っ掛かるように構成されている。つまり、器具本体２１は、一対の引掛部２２１が一対の引掛孔２１２にそれぞれ引っ掛けられることによって、取付板２２に取り付けられる。
【００１９】
給電ユニット３は、例えば、２心の電気ケーブル３０と、電気ケーブル３０の両端に設けられている２つのプラグコネクタ３１とを有している（図３参照）。電気ケーブル３０は、例えば、軟銅線からなる導体（第１導体３００及び第２導体３０１）が電気絶縁性を有する合成樹脂（絶縁体）で被覆された２本の電線がシースで覆われて構成されている。また、２つのプラグコネクタ３１は、電気ケーブル３０の両端に、それぞれ設けられている。より詳細には、プラグコネクタ３１は、２つのコンタクトを有しており、それら２つのコンタクトに第１導体３００及び第２導体３０１が各別かつ電気的に接続されている。そして、これらのプラグコネクタ３１は、電力変換ユニット１のレセプタクルコネクタ１４、及び照明器具２のレセプタクルコネクタ２３の双方と挿抜可能に接続される（図３参照）。なお、給電ユニット３は、両面テープやケーブルホルダなどの固定部材によって天井Ｓに固定されることが好ましい。
【００２０】
次に、本実施形態に係る照明システムＸを住宅の天井Ｓに施工する手順について、説明する。まず、施工作業を行う作業者は、天井Ｓに配設されている引掛シーリング４に電力変換ユニット１を取り付ける。続いて、作業者は、天井Ｓの所望の位置に照明器具２の取付板２２を固定し、さらに、取付板２２に器具本体２１を取り付ける。それから、作業者は、電力変換ユニット１のレセプタクルコネクタ１４に給電ユニット３の一方のプラグコネクタ３１を差込接続し、かつ、照明器具２のレセプタクルコネクタ２３に給電ユニット３の他方のプラグコネクタ３１を差込接続する。作業者は、全ての照明器具２について、給電ユニット３との接続作業を実施する。ただし、作業者は、１つの照明器具２に設けられている２つのレセプタクルコネクタ２３にそれぞれ別の給電ユニット３のプラグコネクタ３１を差込接続することにより、複数の照明器具２に給電ユニット３を送り配線してもよい。このようにして、本実施形態に係る照明システムＸの施工作業が完了する。なお、照明器具２の取付箇所は天井Ｓに限定されず、壁や床などの天井Ｓ以外の造営材であってもよい。
【００２１】
従来は、照明器具の取付場所が引掛シーリング４の設置位置に制約されていた。それに対して本実施形態に係る照明システムＸでは、引掛シーリング４の設置位置に制約されることなく、照明器具２を造営材（天井Ｓ、壁、床など）の任意の場所に設置することができる。つまり、本実施形態に係る照明システムＸは、既存の建物においても照明器具２の取付位置を任意に変更可能とすることができる。
【００２２】
上述のように本実施形態に係る照明システムＸは、少なくとも１つの電力変換ユニット１と、１つ又は複数の照明器具２と、１つ又は複数の給電ユニット３とを有している。電力変換ユニット１は、建物の造営材（天井Ｓ）に設けられている給電用の配線器具（引掛シーリング４）と電気的に接続されるように構成されている。また、電力変換ユニット１は、配線器具（引掛シーリング４）を通じて給電される交流電力を直流電力に変換して給電ユニット３に出力するように構成されている。給電ユニット３は、電力変換ユニット１から照明器具２に向かう往きの電流が流れる第１導体３００と、照明器具２から電力変換ユニット１に向かう戻りの電流が流れる第２導体３０１とを備えている。また、給電ユニット３は、造営材の表面（天井面）に沿うように配置されている。照明器具２は、第１導体３００と電気的に接続される第１接続端子（レセプタクルコネクタ２３の正極のコンタクト受け）と、第２導体３０１と電気的に接続される第２接続端子（レセプタクルコネクタ２３の負極のコンタクト受け）とを備えている。また、照明器具２は、第１接続端子と第２接続端子の間に電気的に接続される１つ又は複数の光源２０と、第１接続端子、第２接続端子及び光源２０を保持して造営材の表面（天井面）に配置される器具本体２１とを備えている。
【００２３】
本実施形態に係る照明システムＸが上述のように構成されれば、配線器具（引掛シーリング４）の設置位置に制約されることなく、照明器具２を造営材（天井Ｓ、壁、床など）の任意の場所に設置することができる。その結果、本実施形態に係る照明システムＸは、既存の建物においても照明器具２の取付位置を任意に変更可能とすることができる。
【００２４】
ここで、照明器具２は、取付板２２に代えて、図５Ａに示す取付部材２４によって造営材（例えば、天井Ｓ）に取り付けられてもよい。取付部材２４は、一対の端子金具２４０と、ベース部２４１と、支持部２４２とを有している。
【００２５】
ベース部２４１は、合成樹脂のような電気絶縁性を有する材料で直方体状に形成されている。また、ベース部２４１は、長手方向の両端に、半円柱面状に凹んだねじ挿通溝２４１０が設けられている。さらに、ベース部２４１は、長手方向の中央に、おおよそ半円筒形の凹部２４１１が長手方向に並べて設けられている。
【００２６】
支持部２４２は、電気絶縁性を有する合成樹脂材料により、一対の端子金具２４０がインサート成形されて直方体状に形成されている。また、支持部２４２は、ベース部２４１と同様に、長手方向の両端に、半円筒形に凹んだねじ挿通溝２４２０が設けられている。さらに、支持部２４２は、長手方向の中央に、おおよそ半円筒形の凹部２４２１が長手方向に並べて設けられている。
【００２７】
端子金具２４０は、引掛刃２４００と、差込刃２４０１と、連結部２４０２とを有している（図５Ａ及び図５Ｂ参照）。引掛刃２４００は、レセプタクルコネクタ２３の代わりに器具本体２１に設けられている引掛刃用刃受部とかん合するように構成されている。より詳細には、引掛刃２４００は、円柱の先端に円盤状の刃が一体に形成されて構成されている。差込刃２４０１は、先端が半円弧状に凹んだ矩形の板状に形成されている（図５Ｂ参照）。連結部２４０２は、鉤形に形成され、引掛刃２４００と差込刃２４０１とを連結している。なお、引掛刃２４００、差込刃２４０１及び連結部２４０２は、金属材料によって一体に形成されることが好ましい。これら一対の端子金具２４０は、図５Ｂに示すように、引掛刃２４００と差込刃２４０１をそれぞれ反対側へ突出させるようにして、連結部２４０２が支持部２４２にインサート成形されている。
【００２８】
ここで、給電ユニット３は、２本の被覆電線３２が並行するようにして造営材（例えば、天井Ｓ）の表面に張り渡されている（図５Ａ参照）。ただし、これら２本の被覆電線３２は、造営材の表面（天井面）と平行に張り渡されることが好ましい。取付部材２４は、ベース部２４１の凹部２４１１と支持部２４２の凹部２４２１とで２本の被覆電線３２をそれぞれ径方向に挟み込むようにして造営材（天井Ｓ）に固定される（図５Ａ参照）。このとき、支持部２４２の２つの凹部２４２１からそれぞれ突出している端子金具２４０の一対の差込刃２４０１が、２本の被覆電線３２の被覆３２１を突き破って、それぞれの導体３２０（第１導体及び第２導体）に接触導通する。そして、造営材（天井Ｓ）に固定された取付部材２４の端子金具２４０の一対の引掛刃２４００が、器具本体２１の一対の引掛刃用刃受部にかん合されれば、照明器具２が取付部材２４に取り付けられる。ゆえに、照明器具２の一対の引掛刃用刃受部（第１接続端子及び第２接続端子）は、一対の端子金具２４０を介して給電ユニット３の２本の被覆電線３２のそれぞれの導体３２０（第１導体及び第２導体）と電気的に接続される。つまり、照明器具２は、取付部材２４により、給電ユニット３の任意の位置に電気的かつ機械的に接続されるので、取付位置が容易に変更可能である。
【００２９】
また、照明器具２は、図６に示す取付部材２５によって造営材（例えば、天井Ｓ）に取り付けられてもよい。取付部材２５は、一対の端子金具２５０と、ベース部２５１とを有している。ベース部２５１は、一面（前面）が開口した矩形の箱状に形成されている。ベース部２５１は、短手方向に対向する一対の側壁に、それぞれ一対の溝２５１０が平行に設けられている。また、ベース部２５１は、底壁の中央にねじ挿通孔が設けられており、このねじ挿通孔に挿通されるねじ２５２によって、造営材（天井Ｓなど）に固定される。一対の端子金具２５０は、円柱状の軸部２５００と、軸部２５００の前端に設けられている円盤状の引掛刃２５０１とをそれぞれ有している。これら一対の端子金具２５０は、それぞれの軸部２５００がベース部２５１の底壁にインサート成形されることによって、底壁から前方へ突出するように設けられている。ただし、一対の端子金具２５０は、ベース部２５１の長手方向に沿ったねじ挿通孔（ねじ２５２）の両側であり、かつ、一対の側壁における一対の溝２５１０の間隔よりも広い間隔を空けて配置されている（図６参照）。
【００３０】
一方、給電ユニット３は、絶縁体で被覆されていない２本の裸電線３３（第１導体及び第２導体）が並行するように、がいし（碍子 insulator）によって造営材（例えば、天井Ｓ）の表面に張り渡されている（図６参照）。また、これら２本の裸電線３３は、造営材の表面（天井面）と平行に張り渡されることが好ましい。取付部材２５は、ベース部２５１のそれぞれ一対の溝２５１０に２本の裸電線３３が各別に挿通された状態で、２本の裸電線３３と造営材の表面（天井面）との間に配置されている。これら２本の裸電線３３は、ベース部２５１の内部において、一対の端子金具２５０の軸部２５００にそれぞれ引っ掛けられている（図６参照）。そして、一対の端子金具２５０の間隔が一対の溝２５１０の間隔よりも広いので、２本の裸電線３３は、それぞれ端子金具２５０の軸部２５００と接触導通する。なお、取付部材２５は、ねじ２５２で造営材に固定されない状態においては、２本の裸電線３３が溝２５１０に挿通され、かつ、軸部２５００に引っ掛けられたまま、２本の裸電線３３に沿って自由に移動可能である。
【００３１】
そして、造営材（天井Ｓ）に固定された取付部材２５の端子金具２５０の一対の引掛刃２５０１が、器具本体２１の一対の引掛刃用刃受部にかん合されれば、照明器具２が取付部材２５に取り付けられる。ゆえに、照明器具２の一対の引掛刃用刃受部（第１接続端子及び第２接続端子）は、一対の端子金具２５０を介して給電ユニット３の２本の裸電線３３（第１導体及び第２導体）と電気的に接続される。つまり、照明器具２は、取付部材２５により、給電ユニット３の任意の位置に電気的かつ機械的に接続されるので、取付位置が容易に変更可能である。
【００３２】
また、給電ユニット３は、図７Ａ及び図７Ｂに示すように、平角銅線からなる第１導体３４０及び第２導体３４１が直方体状の絶縁体３４２で被覆されている電気ケーブル３４で構成されてもよい。このような給電ユニット３は、例えば、ケーブルホルダなどの固定部材によって造営材の表面（天井面など）に固定されることが好ましい。
【００３３】
一方、照明器具２は、器具本体２１から導出される２本の電線２６と、これら２本の電線２６の先端に各別に設けられている第１接続端子２６０及び第２接続端子２６１とを備えている。第１接続端子２６０及び第２接続端子２６１は、それぞれ端子ピン２６００、２６１０と、支持体２６０１、２６１１とを有している。端子ピン２６００、２６１０は、銅又は銅合金によって円錐状に形成されることが好ましい。支持体２６０１、２６１１は、合成樹脂材料によって円盤状に形成されることが好ましい。また、支持体２６０１、２６１１は、片側の面における中心付近から立ち上がるように端子ピン２６００、２６１０を支持している。なお、支持体２６０１、２６１１は、２本の電線２６の導体と端子ピン２６００、２６１０とを各別かつ電気的に接続するための金属体がインサート成形されることが好ましい。そして、第１接続端子２６０及び第２接続端子２６１は、画鋲のように端子ピン２６００、２６１０が絶縁体３４２に突き刺されることにより、端子ピン２６００、２６１０が第１導体３４０及び第２導体３４１に接触導通する（図７Ｂ参照）。ゆえに、照明器具２は、２本の電線２６と第１接続端子２６０及び第２接続端子２６１を通して、給電ユニット３の第１導体３４０及び第２導体３４１と電気的に接続されて給電される。あるいは、図８に示すように、円錐状の第１接続端子２１３及び第２接続端子２１４が器具本体２１に設けられてもよい。この場合、照明器具２は、第１接続端子２１３及び第２接続端子２１４が絶縁体３４２に突き刺されることにより、第１導体３４０及び第２導体３４１に電気的に接続されるとともに、絶縁体３４２に機械的に保持されることが好ましい。
【００３４】
上述のように本実施形態に係る照明システムＸにおいて、第１接続端子（引掛刃用引掛部、２６０、２１３）は、第１導体（導体３２０、裸電線３３、３４０）の任意の位置で電気的に接続可能に構成されていることが好ましい。同じく、第２接続端子（引掛刃用引掛部、２６１、２１４）は、第２導体（導体３２０、裸電線３３、３４１）の任意の位置で電気的に接続可能に構成されていることが好ましい。
【００３５】
本実施形態に係る照明システムＸが上述のように構成されれば、照明器具２の設置場所の自由度を高めることができる。
【００３６】
また、本実施形態に係る照明システムＸにおいて、給電ユニット３は、電気的な絶縁性を有して第１導体（３２０、３４０）及び第２導体（３２０、３４１）を被覆する絶縁体（３２１、３４２）を備えることが好ましい。第１接続端子（端子金具２４０）及び第２接続端子（端子金具２４０）は、絶縁体を突き破って第１導体及び第２導体とそれぞれ接触導通するように構成されていることが好ましい。
【００３７】
本実施形態に係る照明システムＸが上述のように構成されれば、給電ユニット３の任意の箇所に、第１接続端子及び第２接続端子が容易に接続可能となって、照明器具２の設置場所の自由度をさらに高めることができる。
【００３８】
さらに、本実施形態に係る照明システムＸにおいて、給電ユニット３は、金属製の線材で形成されている第１導体及び第２導体（裸電線３３）が、造営材（天井Ｓ）の表面において、互いに並行して張り渡されるように構成されていることが好ましい。第１接続端子及び第２接続端子（端子金具２５０）は、第１導体及び第２導体（裸電線３３）に対して径方向から圧接するように構成されていることが好ましい。
【００３９】
本実施形態に係る照明システムＸが上述のように構成されれば、第１導体及び第２導体（裸電線３３）の任意の箇所に、第１接続端子及び第２接続端子が容易に接続可能となって、照明器具２の設置場所の自由度をさらに高めることができる。
【００４０】
ところで、給電ユニット３は、電力変換ユニット１からの距離を可変とするように構成されることが好ましい。例えば、給電ユニット３は、２心の電気ケーブル３０と、電気ケーブル３０が巻き取られる巻取部３５とを備えることが好ましい。巻取部３５は、例えば、図９に示すような合成樹脂成形体で構成されることが好ましい。より詳細には、巻取部３５は、長手方向に対向する両側壁に矩形の窓３５０が設けられ、かつ、短手方向に対向する両側壁に、長手方向に沿った溝３５１がそれぞれ設けられている。これら一対の溝３５１は、長手方向の両端において、長手方向に対向する両側壁の窓３５０と繋がっている。さらに、巻取部３５は、奥行き方向（長手方向及び短手方向と直交する方向）に沿った軸を有し、軸を除く内部が空洞となるように形成されている。電気ケーブル３０は、一対の窓３５０及び一対の溝３５１を通して軸に巻き回されることで巻取部３５に巻き取られている。ゆえに、給電ユニット３は、巻取部３５における電気ケーブル３０の巻き取り量が調整されることによって、電力変換ユニット１からの距離が可変となり、照明器具２の設置場所の自由度を高めることができる。
【００４１】
ここで、巻取部は、図１０に示すように、照明器具２の器具本体２１に設けられてもよい。巻取部は、器具本体２１の周方向に沿って、電気ケーブル３０を巻き取るように構成されている。ただし、巻取部は、器具本体２１に対して回転可能に設けられ、双方向に回転することによって、電気ケーブル３０の巻き取り及び送り出しを行うように構成されてもよい。なお、器具本体２１は、Ｌ字形の突起２１６を有し、この突起２１６に送り配線用のレセプタクルコネクタ２３が設けられることが好ましい。あるいは、巻取部は、電力変換ユニット１のハウジング１０内に設けられてよい。
【００４２】
本実施形態に係る照明システムＸにおいて、給電ユニット３は、電力変換ユニット１からの距離（長さ）を可変とするように構成されていることが好ましい。
【００４３】
本実施形態に係る照明システムＸが上述のように構成されれば、電力変換ユニット１から照明器具２までの配線長が可変となることによって、照明器具２の設置場所の自由度をさらに高めることができる。
【００４４】
また、本実施形態に係る照明システムＸにおいて、給電ユニット３は、２心以上の電気ケーブル３０と、電気ケーブル３０が巻き取られる巻取部３５とを備えることが好ましい。電気ケーブル３０の心線で第１導体３００及び第２導体３０１が構成されていることが好ましい。
【００４５】
本実施形態に係る照明システムＸが上述のように構成されれば、電気ケーブル３０の余長分を巻取部３５に巻き取らせることにより、電気ケーブル３０の余長処理が簡素化される。
【００４６】
さらに、本実施形態に係る照明システムＸにおいて、巻取部は、器具本体２１に設けられていることが好ましい。
【００４７】
本実施形態に係る照明システムＸが上述のように構成されれば、造営材の表面に巻取部の固定箇所を確保する必要がないので、照明器具２の設置場所の自由度をさらに高めることができる。
【００４８】
またさらに、本実施形態に係る照明システムＸにおいて、照明器具２は、電気ケーブル３０と電気的に接続されているレセプタクルコネクタ２３を備えることが好ましい。レセプタクルコネクタ２３と電気的に接続されるプラグコネクタ３１が電気ケーブル３０に設けられていることが好ましい。
【００４９】
本実施形態に係る照明システムＸが上述のように構成されれば、照明器具２と給電ユニット３（の電気ケーブル３０）との電気的な接続作業が簡素化される。
【００５０】
さらに、本実施形態に係る照明システムＸにおいて、巻取部は、電力変換ユニット１に設けられていることが好ましい。
【００５１】
本実施形態に係る照明システムＸが上述のように構成されれば、造営材の表面に巻取部の固定箇所を確保する必要がないので、照明器具２の設置場所の自由度をさらに高めることができる。
【００５２】
また、給電ユニット３は、図１１Ａ及び図１１Ｂに示すようなジョイントボックス３６を有していてもよい。ジョイントボックス３６は、合成樹脂成形体からなる直方体状のハウジング３６０と、複数（図示例では４つ）のレセプタクルコネクタ３６１とを備えている。これら４つのレセプタクルコネクタ３６１は、それぞれ正極用のコンタクト受けと、負極用のコンタクト受けとを有している。４つの正極用のコンタクト受けは、金属製の導電板によって電気的に接続されている。同じく、４つの負極用のコンタクト受けは、金属製の導電板によって電気的に接続されている。ハウジング３６０は、４つのレセプタクルコネクタ３６１と、正極用及び負極用の導電板とを収容するように構成されている。給電ユニット３は、電気ケーブル３０の先端に設けられているプラグコネクタ３１がジョイントボックス３６のレセプタクルコネクタ３６１に差込接続されることにより、第１導体及び第２導体を分岐することができる。なお、ジョイントボックス３６のハウジング３６０は、両面テープやねじ止めなどの適宜の方法で造営材（天井Ｓなど）の表面に固定されることが好ましい。また、照明器具２の器具本体２１は、ねじ止めなどにより、ジョイントボックス３６のハウジング３６０に取り付けられても構わない。
【００５３】
さらに、給電ユニット３は、図１２に示すように、２つの電気ケーブル３４（３４Ａ、３４Ｂ）の端部同士が厚み方向に重ねられた状態で、２本の木ねじ３４３によってそれぞれの端部が造営材（天井Ｓ）にねじ止めされて結合されてもよい。このとき、２つの電気ケーブル３４Ａ、３４Ｂは、それぞれの長手方向を交差（図示例では直交）させるように配置されることが好ましい。ここで、２本の木ねじ３４３は金属製であって、２つの電気ケーブル３４Ａ、３４Ｂの第１導体３４０及び第２導体３４１をそれぞれ貫通して造営材（天井Ｓ）にねじ込まれている。つまり、２つの電気ケーブル３４Ａ、３４Ｂの第１導体３４０及び第２導体３４１は、それぞれ木ねじ３４３を介して電気的に接続されている。ただし、一方の電気ケーブル３４Ａの端部以外の部位（例えば、中央部）に他方の電気ケーブル３４Ｂの端部あるいは端部以外の部位が結合されてもよい。このように２つの電気ケーブル３４Ａ、３４Ｂが連結されれば、照明器具２の設置場所の自由度をさらに高めることができる。また、電気ケーブル３４Ａ、３４Ｂ同士を結合している２本の木ねじ３４３を引掛刃に利用し、これら２本の木ねじ３４３が引掛刃用引掛部にかん合させられることによって、照明器具２が給電ユニット３に取り付けられるようにしてよい。
【００５４】
上述のように本実施形態に係る照明システムＸにおいて、給電ユニット３は、複数の第１導体３４０同士、並びに複数の第２導体３４１同士をそれぞれ個別かつ電気的に接続する１つ又は複数の接続部材（木ねじ３４３）を備えていることが好ましい。
【００５５】
本実施形態に係る照明システムＸが上述のように構成されれば、接続部材によって複数の第１導体３４０同士、並びに複数の第２導体３４１同士がそれぞれ個別かつ電気的に接続されることで給電ユニット３の長さ（配線長）を容易に伸ばすことができる。
【００５６】
また、本実施形態に係る照明システムＸにおいて、接続部材（木ねじ３４３）は、器具本体２１が着脱可能に取り付けられるように構成されていることが好ましい。
【００５７】
本実施形態に係る照明システムＸが上述のように構成されれば、接続部材（木ねじ３４３）が器具本体２１の固定に兼用されることにより、造営材（天井Ｓ）に対する照明器具２の取付作業の簡素化が図られる。
【００５８】
さらに、本実施形態に係る照明システムＸにおいて、複数の給電ユニット（電気ケーブル３４）は、電気的な絶縁性を有して第１導体３４０及び第２導体３４１を被覆する絶縁体３４２をそれぞれ備えることが好ましい。接続部材（木ねじ３４３）は、一の電気ケーブル３４と、他の電気ケーブル３４とが部分的に重なって配置されている箇所において、一の電気ケーブル３４の絶縁体３４２、第１導体３４０及び他の電気ケーブル３４の絶縁体３４２を突き通すことが好ましい。また、接続部材（木ねじ３４３）は、他の電気ケーブル３４の第１導体３４０と一の電気ケーブル３４の第１導体３４０とを電気的に導通させることが好ましい。さらに、接続部材（木ねじ３４３）は、一の電気ケーブル３４の絶縁体３４２、第２導体３４１及び他の電気ケーブル３４の絶縁体３４２を突き通すことが好ましい。またさらに、接続部材（木ねじ３４３）は、他の電気ケーブル３４の第２導体３４１と一の電気ケーブル３４の第２導体３４１とを電気的に導通させるように構成されていることが好ましい。
【００５９】
本実施形態に係る照明システムＸが上述のように構成されれば、複数の電気ケーブル３４同士を結合して給電ユニット３の長さ（配線長）を容易に伸ばすことができる。
【００６０】
ここで、給電ユニット３は、いわゆるカールコードからなる電気ケーブルを有していてもよい。給電ユニット３は、カールコードからなる電気ケーブルを有していることにより、長さ（配線長）を容易に変えることができる。なお、給電ユニット３は、カールコードからなる電気ケーブルを内部に収容する配線モールを有していてもよい。
【００６１】
上述のように本実施形態に係る照明システムＸにおいて、給電ユニット３は、伸縮可能に形成されていることが好ましい。
【００６２】
本実施形態に係る照明システムＸが上述のように構成されれば、給電ユニット３の長さ（配線長）を容易に変化させることができる。
【００６３】
ところで、照明器具２は、図１３Ａに示すように、点灯回路２７を備えてもよい。点灯回路２７は、例えば、定電流回路２７０と、制御回路２７１とを有している。さらに、点灯回路２７は、定電流回路２７０及び制御回路２７１に電源電圧（制御電源電圧Ｖcc）を供給する電源回路を有することが好ましい。定電流回路２７０は、図１３Ｂに示すように、トランジスタＱ１、抵抗Ｒ１、オペアンプＯＰ１、基準電源Ｅ１などを有している。トランジスタＱ１は、例えば、ｎチャネルのＭＯＳＦＥＴ（Metal Oxide Semiconductor Field Effect Transistor）である。トランジスタＱ１のドレインが光源２０の負極と電気的に接続され、トランジスタＱ１のソースが抵抗Ｒ１の一端と電気的に接続されている。また、抵抗Ｒ１の他端は第２接続端子（レセプタクルコネクタ２３の負極側のコンタクト受け）と電気的に接続されている。さらに、トランジスタＱ１のゲートは、オペアンプＯＰ１の出力端子と電気的に接続されている。オペアンプＯＰ１は、反転入力端子（−端子）にトランジスタＱ１のソースが電気的に接続され、非反転入力端子（＋端子）に基準電源Ｅ１の電圧（基準電圧）Ｖthが入力されている。ただし、基準電源Ｅ１は、制御電源電圧Ｖccが可変抵抗で分圧されて構成されてもよい。
【００６４】
制御回路２７１は、定電流回路２７０の可変抵抗の抵抗値を調整することにより、光源２０に所定の電流（例えば、発光ダイオード２００の定格電流）を流すように定電流回路２７０を制御する。定電流回路２７０は、光源２０に流れる電流の大きさに比例する抵抗Ｒ１の両端電圧と、基準電圧Ｖthとの差分をゼロに近付けるようにトランジスタＱ１のゲート電圧を調整する。ゆえに、点灯回路２７は、レセプタクルコネクタ２３から入力される直流電圧の大きさに関わらず、光源２０に所定の電流（例えば、定格電流）を流すことができる。なお、点灯回路２７は、明るさセンサ及び人感センサのうちの少なくともいずれか１つを備えてもよい。例えば、点灯回路２７が人感センサを備えている場合、制御回路２７１は、人感センサが人を検知していないときは基準電圧Ｖthを小さくし、人感センサが人を検知しているときは基準電圧Ｖthを大きくして元に戻すことが好ましい。制御回路２７１がこのように動作すれば、人がいないときに照明器具２が調光点灯して消費電力を低減し、人がいるときに照明器具２が定格点灯して必要な明るさを確保することができる。
【００６５】
上述のように本実施形態に係る照明システムＸにおいて、複数の照明器具２は、点灯回路２７を備えることが好ましい。点灯回路２７は、第１接続端子と第２接続端子（レセプタクルコネクタ２３の一対のコンタクト受け）の間に印加される直流電圧の電圧値に関わらず、光源２０に所定の電流を流すように構成されていることが好ましい。
【００６６】
本実施形態に係る照明システムＸが上述のように構成されれば、複数の照明器具２毎に光源２０の定格電圧がことなったとしても、常に光源２０に適した所定の電流（例えば、定格電流）を流すことができる。
【００６７】
ところで、電力変換ユニット１は、一対の引掛刃１１と各別かつ電気的に接続されている一対の引掛刃用引掛部をハウジング１０内に内蔵するように構成されてもよい。また、ハウジング１０の前面（下面）の中央に、一対の引掛刃用引掛部にかん合する一対の引掛刃がそれぞれ挿通される弧状の一対の孔が設けられている。このように構成される電力変換ユニット１は、交流電源で動作する照明器具（例えば、シーリングライト）の一対の引掛刃が孔を通してハウジング１０内の一対の引掛刃用引掛部とかん合される。つまり、電力変換ユニット１は、一対の引掛刃１１に印加される交流電圧を、一対の引掛刃用引掛部を介して交流電源用の照明器具に供給することができる。
【００６８】
上述のように本実施形態に係る照明システムＸにおいて、電力変換ユニット１は、配線器具（引掛シーリング４）と電気的に接続されている一対の引掛刃用引掛部を備えていることが好ましい。
【００６９】
本実施形態に係る照明システムＸが上述のように構成されれば、電力変換ユニット１から交流電源用の照明器具に交流電力を供給することができる。
【００７０】
次に、引掛シーリング４に代えて、壁面に埋込配設されている壁コンセント（差込接続器）から電力変換ユニット１に交流電力が給電されるように構成された照明システムＸＸ（変形例）について、説明する。
【００７１】
この変形例に係る照明システムＸＸにおいて、電力変換ユニット１は、図１４に示すように、壁Ｗ１と壁Ｗ２の入り隅の上端に設置されている。ハウジング１０は、直方体状に形成されている。ハウジング１０からは、電源コード１５が導出されている。電源コード１５の先端に設けられているプラグ１５０が、一方の壁Ｗ１に埋込配設されている壁コンセントＹに差込接続されている。つまり、電力変換ユニット１は、壁コンセントＹに差込接続されているプラグ１５０から電源コード１５を介して交流電力が給電されている。また、変形例に係る照明システムＸＸにおいて、給電ユニット３は、ライティングダクト（照明器具用ダクト）３７を有している。ライティングダクト３７は、壁Ｗ１、Ｗ２と天井Ｓの入り隅に沿って配置されている。また、ライティングダクト３７は、配線器具用プラグ３７０が長手方向の任意の位置に取付可能に構成されている。配線器具用プラグ３７０は、ライティングダクト３７の第１導体及び第２導体とそれぞれ各別かつ電気的に接続されている。配線器具用プラグ３７０から電気ケーブル３７１を介して照明器具２に直流電力が給電されている。照明器具２は、電気ケーブル３７１の他端に設けられているプラグコネクタが差込接続されるレセプタクルコネクタを有している。つまり、照明器具２は、図１４に示すように、壁Ｗ２や天井Ｓの任意の位置に設置されることが可能である。
【００７２】
ここで、ライティングダクト３７は、図１５に示すように、上向きの開口部３７２を有し、内部の側面に第１導体３７３と第２導体３７４が間隔を空けて対向するように配置されても構わない。また、照明器具２は、器具本体２１に設けられているプラグ部２１５が開口部３７２からライティングダクト３７の内部に挿入されるように構成されてもよい。プラグ部２１５の先端には、第１接続端子２１５０及び第２接続端子２１５１が設けられている。第１接続端子２１５０は、ライティングダクト３７の第１導体３７３と接触して電気的に接続されている。第２接続端子２１５１は、ライティングダクト３７の第２導体３７４と接触して電気的に接続されている。ただし、ライティングダクト３７は、横向きだけでなく縦向きに配設されてもよい。照明器具２は、縦向きに配設されたライティングダクト３７の開口部に挿入され、任意の位置（高さ）でライティングダクト３７に固定されるプラグを有することが好ましい。つまり、照明器具２は、ライティングダクト３７に沿って上下方向に移動可能であり、かつ、任意の高さ位置で固定可能である。
【符号の説明】
【００７３】
Ｘ  照明システム
１  電力変換ユニット
２  照明器具
３  給電ユニット
４  引掛シーリング
２０  光源
２１  器具本体
２３  レセプタクルコネクタ
２７  点灯回路
３０  電気ケーブル
３５  巻取部
３６  ジョイントボックス（接続部材）
２１３  第１接続端子
２１４  第２接続端子
２６０  第１接続端子
２６１  第２接続端子
３００  第１導体
３０１  第２導体
３４０  第１導体
３４１  第２導体
３４２  絶縁体
３７３  第１導体
３７４  第２導体
Ｓ  天井（造営材）
Ｗ１、Ｗ２  壁（造営材）
【図１】
0006745472.tif 000002
【図２】
0006745472.tif 000003
【図３】
0006745472.tif 000004
【図４】
0006745472.tif 000005
【図５】
0006745472.tif 000006
【図６】
0006745472.tif 000007
【図７】
0006745472.tif 000008
【図８】
0006745472.tif 000009
【図９】
0006745472.tif 000010
【図１０】
0006745472.tif 000011
【図１１】
0006745472.tif 000012
【図１２】
0006745472.tif 000013
【図１３】
0006745472.tif 000014
【図１４】
0006745472.tif 000015
【図１５】
0006745472.tif 000016